(57)【特許請求の範囲】
【請求項１】
原稿読取部の一部又は全部を移動させて原稿を読み取るようにした複写機能付き通信端末装置において、原稿の読取り前又は読み取り後に原稿読取部で原稿照明用光源の点灯確認を行わせる制御手段を設け、その制御手段は、複数枚の原稿の読み取りを所定の時間内に連続して行う場合には、第１ページの原稿の読み取り前または読み取り後に点灯確認を行わせるとともに、最終ページの原稿の読み取り前または読み取り後に点灯確認を行わせるにように制御する複写機能付き通信端末装置。
【請求項２】
前記原稿読取部にて読み取られた原稿を読取画データとして一時的に記憶する記憶手段を更に備え、前記制御手段は、前記原稿照明用光源が点灯していないと判断した場合に、前記記憶手段に記憶されている読取画データを消去する請求項１に記載の複写機能付き通信端末装置。
【発明の詳細な説明】
【０００１】
【発明の属する技術分野】
この発明は、複写機能及びファクシミリ通信等の通信機能を備えた複写機能付き通信端末装置に係り、より詳しくは原稿照明用光源の点灯確認のための構成に関するものである。
【０００２】
【従来の技術】
この種の複写機能付き通信端末装置としては、原稿を１枚ずつ原稿載置板上に載置して、原稿を読み取るフラットベッド読取部（ＦＢＳ：Ｆｌａｔ  Ｂｅｄ  Ｓｃａｎｎｅｒ）を備えたものが知られている。
【０００３】
このＦＢＳで原稿の読み取りを行う場合は、原稿載置板上に原稿が静止状態で載置される。この状態で、モータの駆動によって光源及び複数のミラーが原稿載置板に沿って移動される。このとき、原稿に対して光源から原稿載置板を通して光が照射され、その反射光が複数のミラー及びレンズ等を介して撮像素子（ＣＣＤ：Ｃｈａｒｇｅ  Ｃｏｕｐｌｅｄ  Ｄｅｖｉｃｅ）で読み取られる。そして、ＣＣＤからは、読み取られた画像が白黒２値のイメージデータとして出力される。
【０００４】
ところで、原稿照明用光源として、例えば冷陰極管を採用した装置では、経年変化により光源の輝度が低下してくる。
これに対して、原稿照明用の光源に経年変化のほとんどない発光ダイオード（ＬＥＤ）を採用し、その光源と画像を読み取る素子とを一体化した、いわゆる密着型イメージセンサ（ＣＩＳ：Ｃｏｎｔａｃｔ  Ｉｍａｇｅ  Ｓｅｎｓｏｒ）を備えた装置も知られている。このＣＩＳでは、装置本体からハーネスを介して光源に給電されるようになっている。このハーネスは、ＣＩＳの移動に伴って撓曲及び伸長が繰り返される。この撓曲及び伸長の繰り返しに徐々に劣化し、やがて給電線の断線に至って、光源が点灯されなくなることもある。
【０００５】
これらのため、ＦＢＳによる読み取りに際しては、原稿が原稿載置板上に載置され、スタートキーが押下操作されると、まず原稿照明用光源の点灯確認が実行されるようになっている。この点灯確認は、例えば、原稿の読み取り開始前に白プレートを読み込んで、読み取ったデータのうち、１ライン分のデータが２値化される。この２値化されたデータの白画素が所定値以上であるか否かを自己診断することにより行われる。そして、白画素が所定値以上である場合には、光源の点灯が正常であると判断して、原稿の読み取りを開始するようになっている。
【０００６】
【発明が解決しようとする課題】
しかしながら、これらの従来の複写機能付き通信端末装置においては、１枚の原稿の読み取り動作毎に、光源の点灯確認が実行される。つまり、スタートキーが押下される度に、光源及び複数のミラーが白プレートと対応する位置に移動されるとともに、その対応位置に所定時間（例えば２秒程度）停止される。このため、複数枚の原稿を読み取って送信または複写する場合、全原稿の読み取りに時間がかかるという問題があった。
【０００７】
この発明は、このような従来の技術に存在する問題点に着目してなされたものである。その目的とするところは、複数枚の原稿を読み取って送信または複写する場合、それらの原稿の読み取りを短時間に行うことができる複写機能付き通信端末装置を提供することにある。
【０００８】
【課題を解決するための手段】
上記の目的を達成するために、請求項１に記載の発明では、原稿読取部の一部又は全部を移動させて原稿を読み取るようにした複写機能付き通信端末装置において、原稿の読取り前又は読み取り後に原稿読取部で原稿照明用光源の点灯確認を行わせる制御手段を設け、その制御手段は、複数枚の原稿の読み取りを所定の時間内に連続して行う場合には、第１ページの原稿の読み取り前または読み取り後に点灯確認を行わせるとともに、最終ページの原稿の読み取り前または読み取り後に点灯確認を行わせるにように制御するものである。
【０００９】
請求項２に記載の発明においては、請求項１に記載の複写機能付き通信端末装置において、前記原稿読取部にて読み取られた原稿を読取画データとして一時的に記憶する記憶手段を更に備え、前記制御手段は、前記原稿照明用光源が点灯していないと判断した場合に、前記記憶手段に記憶されている読取画データを消去するものである。
【００１１】
【発明の実施の形態】
（第１の実施形態）
以下に、この発明をコピー・ファクシミリ複合機に具体化した第１の実施形態を、図１〜図５に基づいて説明する。
【００１２】
図１に示すように、この複合機の装置本体１１には、原稿給送部１２と、原稿載置部１３と、原稿読取部１４と、カット紙供給部１５と、記録部１７と、カット紙排出部１８とが装設されている。
【００１３】
図１及び図２に示すように、前記原稿給送部１２は、原稿２１を載置する原稿台２２と、原稿２１を１枚ずつ分離供給する分離ローラ２３と、分離された原稿２１を給送する複数の給送ローラ２４と、上面を原稿２１が通過する透光板２５と、排出された原稿２１をストックする原稿排出台２６とを備えている。
【００１４】
原稿有無センサ２７は、前記原稿台２２に対向配置され、原稿台２２上に原稿２１が載置されているときに検出信号を出力する。原稿排出センサ２８は、原稿排出台２６に対向配置され、原稿排出台２６上へ原稿２１が排出されたときに検出信号を出力する。
【００１５】
前記原稿載置部１３は、上面に原稿２１を載置するための透明な原稿載置板３１と、その原稿載置板３１上に開閉回動可能に配設された押え蓋３２とを備えている。そして、前記原稿給送部１２の原稿台２２及び原稿排出台２６は、この原稿載置部１３の押え蓋３２上に配設され、押え蓋３２と一体的に開閉回動されるようになっている。
【００１６】
図１及び図２に示すように、前記原稿読取部１４は、透光板２５上を通過する原稿２１または原稿載置板３１上に載置された原稿２１に光を照射するための冷陰極管等よりなる光源３７と、原稿２１からの反射光の光路を変更する第１〜第３ミラー３８，３９，４０と、光源３７及び第１〜第３ミラー３８，３９，４０を移動させるための移動機構４１とを備えている。さらに、原稿読取部１４は、第３ミラー４０からの光を収束させる集光レンズ４２と、その集光レンズ４２を通して入射した光に基づき原稿２１上の画像を読み取る撮像素子（ＣＣＤ）４３とを備えている。
【００１７】
前記光源３７の点灯を確認して、経年変化による光源３７の劣化等をチェックするための白プレート５４は、原稿給送部１２の透光板２５と原稿載置部１３の原稿載置板３１との間において、装置本体１１の上部裏面に配置固定されている。
【００１８】
前記移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。さらに、移動機構４１は、第１ベルト４８に連結された第１キャリッジ５０と、その第２ベルト４９に連結された第２キャリッジ５１と、ステップモータ５２とを備えている。
【００１９】
前記大径プーリ４４，４５の直径は小径プーリ４６，４７の直径の２倍となるように形成されている。また、左側の大径プーリ４４と小径プーリ４６とは、同一軸線上で一体回転可能に連結されて、ステップモータ５２に作動連結されている。さらに、第１キャリッジ５０上には、光源３７及び第１ミラー３８が支持されている。また、第２キャリッジ５１上には、第２ミラー３９及び第３ミラー４０が支持されている。
【００２０】
そして、ステップモータ５２にて大径プーリ４４，４５及び小径プーリ４６，４７が回転されることにより、第１及び第２ベルト４８，４９を介して、第１及び第２キャリッジ５０，５１が移動される。このとき、第１キャリッジ５０は、第２キャリッジ５１の２倍の移動速度で移動される。これにより、両キャリッジ５０，５１は、図１に示すように、原稿載置板３１の基準端３１ａの直下に対向位置する待機位置を兼用した第１原稿読取位置の開始点Ｐ１と、透光板２５の直下に対向位置する第２原稿読取位置Ｐ２と、白プレート５４の直下に対向位置する光源３７の点灯確認位置Ｐ３とに移動配置される。
【００２１】
また、前記原稿載置部１３と原稿読取部１４とにより、フラットベッド読取部（ＦＢＳ）が構成されている。そして、キャリッジ５０，５１が、第１原稿読取位置の開始点Ｐ１から、同第１原稿読取位置の終了点Ｐ４に向かって移動されて、原稿載置板３１上に載置された原稿２１の画像が読み取られる。さらに、原稿給送部１２と原稿読取部１４とにより、複数原稿自動読取部（ＡＤＦ：  Ａｕｔｏｍａｔｉｃ  Ｄｏｃｕｍｅｎｔ  Ｆｅｅｄｅｒ）が構成されている。そして、キャリッジ５０，５１が第２原稿読取位置Ｐ２に移動配置された状態で、透光板２５上を通過する原稿２１の画像が読み取られる。
【００２２】
図１及び図２に示すように、読取位置センサ５３は、前記原稿載置板３１の基準端３１ａの下部に配設され、キャリッジ５０，５１が待機位置を兼用する第１原稿読取位置の開始点Ｐ１に移動されたときに、検出信号を出力する。
【００２３】
図１に示すように、前記カット紙供給部１５は、所定サイズのカット紙５６を積層状態で収容した複数（この実施形態では２つ）の給紙カセット５７と、各給紙カセット５７内のカット紙５６を１枚ずつ記録部１７に向けて給送する給紙ローラ５８と、カット紙５６の給送を案内するガイド板５９とを備えている。なお、各給紙カセット５７内には、サイズの異なるカット紙５６がそれぞれ収容されている。
【００２４】
前記記録部１７は、感光ドラム６８と、その感光ドラム６８の表面を所定電位に一様に帯電させる帯電器６９と、感光ドラム６８上に画像の静電潜像を形成する露光器７０と、感光ドラム６８上の静電潜像にトナーを供給してその潜像を顕像化する現像器７１とを備えている。さらに、記録部１７は、感光ドラム６８に対してカット紙５６を給送する給送ローラ７２と、トナー画像を感光ドラム６８上からカット紙５６上に転写させる転写器７３と、カット紙５６上のトナー画像を加熱定着させる加熱定着器７４とを備えている。
【００２５】
前記カット紙排出部１８は、記録済みのカット紙５６を排出する排紙ローラ７７と、カット紙５６の排出を案内するガイド板７８と、排出されたカット紙５６をストックする排紙トレイ７９とを備えている。
【００２６】
次に、前記のように構成されたコピー・ファクシミリ複合機の回路構成について説明する。
図３に示すように、中央処理装置（ＣＰＵ）８２は、複合機の各部の動作を制御する。リードオンリメモリ（ＲＯＭ）８３は、複合機の動作に必要な各種の制御プログラムを記憶している。ランダムアクセスメモリ（ＲＡＭ）８４は、制御プログラムの実行に伴って得られたデータ等を一時的に記憶する。そして、このＣＰＵ８２、ＲＯＭ８３及びＲＡＭ８４により、制御手段が構成されている。
【００２７】
前記読取位置センサ５３は、ＣＰＵ８２に検出信号を出力する。原稿読取部１４は、透光板２５または原稿載置板３１を介して原稿２１上の画像を読み取って、白黒２値のイメージデータをＣＰＵ８２に出力する。画像メモリ８５は、ファクシミリ通信による受信画データや原稿読取部１４で読み取られた読取画データを一時的に記憶する。記録部１７は、これらの受信画データや読取画データをカット紙５６に記録する。
【００２８】
表示部８６は液晶表示パネルや発光ダイオード（ＬＥＤ）を備え、例えば「コピーモード」、「通信モード」、「待機中」、「ランプ交換」のように、装置の動作状態等の各種情報を表示する。操作部８７は、機能選択キー８７ａ、スタートキー８７ｂ等の各種操作キーを備えている。機能選択キー８７ａは、コピーモードを実行させるか、ファクシミリ通信モードを実行させるかを選択する場合に操作する。スタートキー８７ｂは、コピー動作やファクシミリ通信動作を開始させる場合に操作する。
【００２９】
タイマ９０は、前記原稿読取部１４のキャリッジ５０，５１を白プレート５４と対向する点灯確認位置Ｐ３に移動させて、光源３７の点灯を確認する際に、その点灯確認時間を計測する。
【００３０】
モデム８８は、送受信データの変調及び復調を行うものである。ネットワークコントロールユニット（ＮＣＵ）８９は、電話回線Ｌ１の閉結及び開放を制御するとともに、相手先のファックス番号に対応したダイヤルパルスの送出及び着信を検出する機能等を備えている。
【００３１】
そして、前記ＣＰＵ８２は、前記ＦＢＳにて複数枚の原稿２１の読み取りを、長い時間をおくことなく所定の時間内に連続して行う場合に、第１ページ目の原稿２１の読み取り後に、キャリッジ５０，５１を点灯確認位置Ｐ３に移動させて、光源３７の点灯確認を行わせる。また、ＣＰＵ８２は、光源３７の点灯を確認できた場合、以降の原稿について点灯確認を省略して読み取り動作のみを実行させる。
【００３２】
次に、この実施形態のコピー・ファクシミリ複合機において、複数枚の原稿２１をＦＢＳにて読み取る場合の動作について、図４及び図５に示すフローチャートを用いて説明する。なお、このフローチャートは、ＲＯＭ８３に記憶されている制御プログラムに基づいて、ＣＰＵ８２の制御のもとで進行する。
【００３３】
さて、操作者により原稿載置板３１上に原稿２１が載置された後、スタートキー８７ｂが押下操作されると、原稿読取部１４のキャリッジ５０，５１が、待機位置を兼用する第１原稿読取位置の開始点Ｐ１から終了点Ｐ４に移動されて、その原稿２１の読み取りが行われる（Ｓ１）。そして、読み取られた原稿２１の画データが、画像メモリ８５に記憶される（Ｓ２）。その後、読み取られた原稿２１が先頭ページであるか否かが判別され（Ｓ３）、先頭ページの場合には、図５のフローチャートに示す光源３７の点灯確認処理が実行される（Ｓ４）。
【００３４】
この点灯確認処理では、まずキャリッジ５０，５１が第１原稿読取位置の終了点Ｐ４から、白プレート５４と対向する点灯確認位置Ｐ３に移動される（Ｓ１１）。この状態で、タイマ９０がスタートされるとともに（Ｓ１２）、光源３７が点灯されて、ＣＣＤ４３により白プレート５４が読み取られる（Ｓ１３）。
【００３５】
前記タイマ９０に設定された所定時間が経過すると（Ｓ１４）、ＣＣＤ４３により読み取った画データのうち、１ライン分の画データが２値化される。そして、その２値化された画データの白画素の割合が所定値以上であるか否かが判断される（Ｓ１５）。具体的には、例えば白画素が１ライン全画素の９０％以上であれば、光源３７が所定の光量で正常に点灯していると判断される。これに対して、白画素が９０％未満の場合には、光源３７が劣化若しくは切れていると判断される。
【００３６】
このように、光源３７が正常に点灯していないと判断された場合には、画像メモリ８５に記憶された読取画データがあるか否かが判別される（Ｓ１６）。画像メモリ８５内に読取画データが存在するときには、原稿２１の読み取りが正常に行われなかったと見做して、その読取画データが消去される（Ｓ１７）。この実施形態においては、画像メモリ８５に記憶された第１ページの原稿２１の読取画データが消去される。それとともに、表示部８６には、例えば「光源を交換して下さい」のように、光源３７の交換を促す旨のメッセージが表示される（Ｓ１８）。前記Ｓ１６において、画像メモリ８５内に読取画データが存在しないと判別されたときには、Ｓ１８に移行して前記と同様のメッセージが表示される。そして、全ての処理が終了する。
【００３７】
一方、この点灯確認処理の前記Ｓ１５において、光源３７が正常に点灯していると判断された場合には、点灯確認処理が終了される。そして、図４のフローチャートのＳ５に移行して、原稿２１に続きページが有るか否かが判別される。また、前記Ｓ３の判別において、読み取られた原稿２１が先頭ページでなかった場合には、前記Ｓ４の点灯確認処理の動作を行うことなくＳ５に進行して、続きページが有るか否かが判別される。
【００３８】
このＳ５においては、例えば表示部８６に「次ページ有りのときには、次ページをセットした後、セットキーを操作して下さい。次ページ無しのときには、スタートキーを操作して下さい」等のメッセージが表示される。そして、この表示部８６の表示に基づいて、操作部８７から所定のキーが選択操作されることにより、続きページの有無が判別される。
【００３９】
前記Ｓ５の判別において、続きページが有る場合には、前記Ｓ１に戻ってＳ１〜Ｓ５の動作が繰り返し実行される。この場合、第２ページ以降の原稿２１については、Ｓ３の判別によりＳ４の点灯確認処理の動作が回避されるため、光源３７の点灯確認を行うことなく、原稿２１の読み取り動作のみが実行されて、読み取られた画データが画像メモリ８５に蓄積される。
【００４０】
一方、Ｓ５の判別において、続きページが無い場合には、機能選択キー８７ａにより、送信モードとコピーモードとのいずれが選択設定されているかが判別される（Ｓ６）。送信モードの設定時には、画像メモリ８５に蓄積された読取画データが、電話回線Ｌ１を介して相手先に送信される（Ｓ７）。これに対して、コピーモードの設定時には、画像メモリ８５に蓄積された読取画データが、記録部１７によりカット紙５６上に記録される（Ｓ８）。そして、これら送信または記録動作が終了したとき、すべての処理が終了する。
【００４１】
次に、この実施形態によって期待できる効果について、以下に記載する。
・この実施形態の複写機能付き通信端末装置においては、複数枚の原稿２１の読み取りが、長い時間をおくことなく所定の時間内に連続して行われる場合に、原稿２１の枚数よりも少ない回数にて、原稿照明用光源３７の点灯確認が行われるようになっている。具体的には、その光源３７の点灯確認が、第１ページ目の原稿２１の読み取り時の１回のみ行われるようになっている。このため、複数枚の原稿の各ページの読み取り動作毎に、光源３７の点灯確認を行うように構成された従来装置に比較して、複数枚の原稿２１の読み取り時間を短縮することができる。
【００４２】
・この実施形態の複写機能付き通信端末装置においては、複数枚の原稿２１の読み取りに際して、第１ページの原稿２１の読み取り後に光源３７の点灯確認が行われる。そして、光源３７の点灯を確認することができた場合には、以降の原稿２１について点灯確認が行われることなく読み取りが続行されるようになっている。このため、光源３７が正常に点灯されていないことを早期に確認することができる。従って、複数枚の原稿２１の読み取りや、読み取られた画データの画像メモリ８５への記憶が無駄に実行されるのを抑制することができる。
【００４３】
・この実施形態の複写機能付き通信端末装置においては、原稿読取部１４にて第１ページの原稿２１が読み込まれて、画データが画像メモリ８５に記憶される。その後、点灯確認にて光源３７が正常に点灯していないと判断された場合には、画像メモリ８５の画データが消去されるようになっている。このため、画像メモリ８５が無効な読取画データの占有により、無駄に使用されることがなく、その画像メモリ８５を有効に使用できる。また、画像メモリ８５の読取画データが消去されるため、無駄な送信が行われたり、カット紙５６が無駄に使用されたりするおそれが生じるのを抑制することもできる。
【００４４】
・この実施形態の複写機能付き通信端末装置においては、光源３７の点灯確認時に、光源３７の点灯が正常でないと判断された場合には、表示部８６にその旨が表示されるようになっている。このため、操作者に光源３７の劣化を知らしめることができて、光源３７を素早く新しいものと交換することができる。
【００４５】
（第２の実施形態）
次に、この発明の第２の実施形態を、前記第１の実施形態と相違する部分を中心にして説明する。
【００４６】
さて、この第２の実施形態においては、前記第１の実施形態とは原稿読取部１４の構成が異なっている。すなわち、図６に示すように、原稿読取部１４の読取機構１０１が、原稿２１に光を照射するための発光ダイオード（ＬＥＤ）によりなる光源３７と、原稿２１からの反射光を収束させるための集束性ファイバ１０２と、読取幅に対するように直線状に配列された光導電素子１０３とが一体化された密着型イメージセンサ（ＣＩＳ）によりなっている。
【００４７】
また、移動機構４１は、左右一対の大径プーリ４４，４５と、大径プーリ４４，４５間に掛装されたベルト４８と、ベルト４８に連結されたキャリッジ５０と、ステップモータ５２とからなっている。そして、前記読取機構１０１は、キャリッジ５０上に支持されているとともに、キャリッジ５０の移動に伴って撓曲あるいは伸長可能なハーネス１０４を介して装置本体１１に接続されている。このハーネス１０４は、読取機構１０１の光源３７への給電線、及び、読取機構１０１で読み取られた画データをＣＰＵ８２に転送するデータ転送線等を備えている。
【００４８】
さらに、原稿読取部１４のキャリッジ５０の待機位置を兼用する第１原稿読取位置の開始点Ｐ１が、第１の実施形態と逆に、点灯確認位置Ｐ３と隣接した位置に設定されている。そして、ＦＢＳでの原稿２１の読み取り時には、キャリッジ５０がその第１原稿読取位置の開始点Ｐ１から終了点Ｐ４へ、点灯確認位置Ｐ３から離間する方向に移動されるようになっている。つまり、原稿２１の読取方向が、前記第１の実施形態とは逆になっている。
【００４９】
そして、この第２の実施形態では、ＣＰＵ８２は、ＦＢＳにて複数枚の原稿２１の読み取りを、長い時間をおくことなく所定の時間内に連続して行う場合に、第１ページの原稿２１の読み取り前、及び、最終ページの原稿２１の読み取り後に、キャリッジ５０，５１を点灯確認位置Ｐ３に移動させて、光源３７の点灯確認を行わせるようになっている。
【００５０】
そこで、この第２の実施形態において、複数枚の原稿２１を読み取る場合の動作ついて、図７に示すフローチャートを用いて説明する。なお、図４及び図５に示す第１の実施形態のフローチャートと同一または近似する動作については、そのフローチャートのステップ符号を引用して、詳細な説明を省略する。
【００５１】
さて、操作者により原稿載置板３１上に第１ページの原稿２１が載置された後、スタートキー８７ｂが押下操作されると、まずＳ２１（第１の実施形態のＳ４に対応）の点灯確認処理の動作が実行されて、光源３７の点灯確認が行われる。そして、光源３７の点灯が正常でない場合には、Ｓ１６に進行して、画像メモリ８５内の読取画データの存在が判別される。この状態では、画像メモリ８５内に読取画データが存在しないため、表示部８６に光源３７の交換メッセージが表示された（Ｓ１８）後、全ての処理が終了する。
【００５２】
一方、光源３７の点灯が正常である場合には、Ｓ２２〜Ｓ２３（Ｓ１〜Ｓ２に対応）に進行して、原稿２１の読み取り及び読取画データの画像メモリ８５への記憶が行われる。その後、Ｓ２４（Ｓ５に対応）において、続きページの有無が判別され、続きページ有りの場合には、Ｓ２２に戻ってＳ２２〜Ｓ２４の動作が繰り返し実行される。
【００５３】
このため、第１ページの原稿２１の読み取り前に光源３７の点灯確認が行われた後、最終ページの原稿２１まで光源３７の点灯確認が行われることなく、原稿２１の読み取り動作のみが実行される。そして、読み取られた画データが、画像メモリ８５に蓄積される。
【００５４】
このように、全ページの原稿２１の読み取りが終了すると、Ｓ２５（Ｓ４に対応）に進行して、再び光源３７の点灯確認が行われる。ここで、光源３７の点灯が正常でない場合には、Ｓ１６〜Ｓ１８に進行して、画像メモリ８５内の画データの消去、及び光源３７の交換メッセージの表示が行われる。そして、全ての処理が終了される。
【００５５】
一方、光源３７の点灯が正常である場合には、Ｓ２６〜Ｓ２８（Ｓ６〜Ｓ８に対応）に進行して、画像メモリ８５内の読取画データの送信または記録が行われる。そして、この送信または記録が終了したとき、すべての処理が終了する。
【００５６】
従って、この第２の実施形態においても、前述した第１の実施形態とほぼ同様の効果の他に、以下の効果をも発揮させることができる。
・この第２の実施形態においては、特に複数枚の原稿２１の読み取りに際して、第１ページの原稿２１の読み取り前に点灯確認が行われるとともに、最終ページの原稿２１の読み取り後に再び点灯確認が行われるようになっている。このため、２つの点灯確認の間で実行された原稿２１の読み取りについて、光源３７が正常に点灯していたことを保証することができる。
【００５７】
・前記ＣＩＳにおいては、ハーネス１０４の劣化に伴って、給電線が断線に至ると光源３７が点灯されなくなる。また、データ転送線が断線に至ると、読み取られた画データがＣＰＵ８２に転送されなくなり、実質上ＣＰＵ８２に全黒の画データが転送された状態となる。
【００５８】
これに対して、この第２の実施形態においては、点灯確認の結果、無効な画データの読み取り回避または消去が行われるようになっている。このため、光源３７の不点灯による原稿２１の読み取り不良、あるいは、データ転送線の断線による画データの転送不良であっても、無効な画データの画像メモリ８５への蓄積あるいは送信を回避することができる。
【００５９】
（第３の実施形態）
次に、この発明の第３の実施形態を、前記第１の実施形態と相違する部分を中心にして説明する。
【００６０】
さて、この第３の実施形態においては、第１の実施形態と同様に、原稿読取部１４のキャリッジ５０，５１の待機位置が、図１に示す位置Ｐ１側に設定されている。また、ＦＢＳでの原稿２１の読取り時には、キャリッジ５０，５１が待機位置を兼用する第１原稿読取位置の開始点Ｐ１から、終了点Ｐ４に移動されるようになっている。
【００６１】
そして、この第３の実施形態では、ＣＰＵ８２は、ＦＢＳにて複数枚の原稿２１の読み取りを、長い時間をおくことなく所定の時間内に連続して行う場合に、第１ページの原稿２１の読み取り後に、キャリッジ５０，５１を点灯確認位置Ｐ３に移動させて、光源３７の点灯確認を行わせる。その後、ＣＰＵ８２は、所定枚数（例えば１０枚）の原稿の読み取りを実行する毎に、キャリッジ５０，５１を点灯確認位置Ｐ３に移動させて、光源３７の点灯確認を行わせるようになっている。
【００６２】
そこで、この第３の実施形態において、複数枚の原稿２１を読み取る場合の動作ついて、図８及び図９に示すフローチャートを用いて説明する。なお、図４及び図５に示す第１の実施形態のフローチャートと同一または近似する動作については、それらのフローチャートのステップ符号を引用して、詳細な説明を省略する。
【００６３】
さて、第１ページの原稿２１が載置された後、スタートキー８７ｂが押下操作されると、Ｓ３１〜Ｓ３３（第１の実施形態のＳ１〜Ｓ３に対応）の動作が実行される。つまり、第１ページの原稿２１の読み取り、及び読み取られた画データの画像メモリ８５への記憶が行われ、その後、読み取られた原稿２１が先頭ページであるか否かが判別される。
【００６４】
このＳ３３において、先頭ページであると判別されると、図９の第２の点灯確認処理が実行される（Ｓ３４）。これに対して、先頭ページではないと判別されると、読み取られた原稿２１が前回の点灯確認から所定ページ、例えば１０ページ目であるか否かが判別される（Ｓ３５）。ここで、所定ページであると判別されると、Ｓ３４に移行して第２の点灯確認処理が実行される。すなわち、第１ページと、それから所定ページ目毎の原稿２１の読取り後に、光源３７の点灯確認が行われる。
【００６５】
この第２の点灯確認処理では、まずＳ４１〜Ｓ４５において、前記第１の実施形態の点灯確認処理のＳ１１〜Ｓ１５と同様に、光源３７の点灯確認が行われる。そして、Ｓ４５において、光源３７の点灯が正常でないと判別された場合には、まず光源３７の交換メッセージの表示が行われる（Ｓ４６）。次いで、画像メモリ８５内に記憶された読取画データがあるか否かが判別される（Ｓ４７）。
【００６６】
このＳ４７において、画像メモリ８５内に読取画データが存在しないと判別されたときには、全ての処理が終了する。一方、画像メモリ８５内に読取画データが存在するときには、前回の点灯確認以降の原稿２１の読み取りが正常に行われなかったと見做される。そして、前回の点灯確認以降の読取画データが消去される（Ｓ４８）。つまり、光源３７の点灯が確認された前回の点灯確認までの読取画データのみが、後述するＳ３７（Ｓ６に対応）以降の処理に従って、送信または記録される。
【００６７】
一方、この第２の点灯確認処理のＳ４５において、光源３７の点灯が正常であると判別された場合には、第２の点灯確認処理が終了される。そして、図８のフローチャートのＳ３６（Ｓ５に対応）に進行して、続きページの有無が判別される。ここで、続きページ有りの場合には、Ｓ３１に戻ってＳ３１〜Ｓ３６の動作が繰り返し実行される。そして、第２ページ以降の原稿２１の読み取り動作が行われて、読み取られた画データが画像メモリ８５に蓄積される。
【００６８】
このように、２ページ以降の原稿２１の読み取りに際しては、前記Ｓ３５において、読み取られた原稿２１が、前回に光源３７の点灯確認を行った原稿２１から所定ページ目であるか否かが判別される。原稿２１が所定ページ目である場合には、前記Ｓ３４に進行して、その原稿２１の読取り後に、光源３７の点灯確認が行われる。これに対して、原稿２１が所定ページ目でない場合には、Ｓ３４の動作を回避してＳ３６に進行する。
【００６９】
そして、Ｓ３６の判別において、続きページ無しの場合には、Ｓ３７〜Ｓ３９（Ｓ６〜Ｓ８に対応）に進行して、画像メモリ８５内の画データの送信または記録が行われる。そして、この送信または記録が終了したとき、すべての処理が終了する。
【００７０】
従って、この第３の実施形態においても、前述した第１の実施形態とほぼ同様の効果を発揮させることができる。
また、この第３の実施形態においては、特に複数枚の原稿２１の読み取りに際して、所定ページ数の原稿２１の読み取り毎に、光源３７の点灯確認が行われるようになっている。このため、各点灯確認の間で実行された所定ページ数分の原稿２１の読み取りについて、光源３７が正常に点灯していたことを保証することができる。
【００７１】
なお、前記各実施形態は、以下のように変更して具体化してもよい。
・前記第１の実施形態において、第１ページの原稿２１の読み取り前に、光源３７の点灯確認を行うように構成すること。
【００７２】
・前記第２の実施形態において、第１ページの原稿２１の読み取り後、及び最終ページの原稿２１の読み取り後に、光源３７の点灯確認を行うように構成すること。
【００７３】
・前記第３の実施形態において、第１ページの原稿２１の読み取り前、及び所定ページ毎の原稿２１の読み取り前に、光源３７の点灯確認を行うように構成すること。
【００７４】
・複数枚の原稿２１の読み取りを行う際に、中間ページの原稿２１について、光源３７の点灯確認を行うように構成すること。
これらのように構成しても、前記各実施形態とほぼ同様の効果を得ることができる。
【００７５】
さらに、前記実施形態からは、以下の技術的思想をも抽出することができ、その技術的思想についてその効果とともに記載する。
（１）  前記制御手段は、複数枚の原稿の読み取りを、所定枚数の原稿の読み取り毎に点灯確認を行わせるように制御する請求項１または３に記載の複写機能付き通信端末装置。
【００７６】
このように構成すれば、各点灯確認の間で実行された所定枚数の原稿の読み取りについて、光源が正常に点灯していたことを保証することができる。
【００７７】
【発明の効果】
この発明は、以上のように構成されているため、次のような効果を奏する。
請求項１に記載の発明によれば、複数枚の原稿を読み取って送信または複写する場合、それらの原稿の読み取りを短時間に行うことができる。さらに、２つの点灯確認の間で実行された原稿の読み取りについて、光源が正常に点灯していたことを保証することができる。
【００７８】
請求項２に記載の発明によれば、記憶手段が無効な読取画データの占有により、無駄に使用されることがなく、その記憶手段を有効に使用できる。また、記憶手段の読取画データが消去されるため、無駄な送信が行われるのを抑制することもできる。
【図面の簡単な説明】
【図１】第１の実施形態の複合機を示す断面図。
【図２】その複合機の要部拡大断面図。
【図３】その複合機の回路構成を示すブロック図。
【図４】その複合機のフラットベッド読取部での読取動作を示すフローチャート。
【図５】点灯確認処理の動作を示すフローチャート。
【図６】第２の実施形態の複合機の要部を示す拡大断面図。
【図７】その複合機のフラットベッド読取部での読取動作を示すフローチャート。
【図８】第３の実施形態の複合機のフラットベッド読取部での読取動作を示すフローチャート。
【図９】第２の点灯確認処理の動作を示すフローチャート。
【符号の説明】
１４…原稿読取部、１７…記録部、２１…原稿、３７…光源、４１…原稿読取部を移動させる移動機構、８２…制御手段を構成するＣＰＵ、８３…制御手段を構成するＲＯＭ、８４…制御手段を構成するＲＡＭ。
【図１】
0003608349.tif 000002
【図２】
0003608349.tif 000003
【図３】
0003608349.tif 000004
【図４】
0003608349.tif 000005
【図５】
0003608349.tif 000006
【図６】
0003608349.tif 000007
【図７】
0003608349.tif 000008
【図８】
0003608349.tif 000009
【図９】
0003608349.tif 000010